(57)【要約】【課題】特に屋内の扉に対して経済的かつ侵入者の目につき難い扉開閉センサを備えた扉を提供する。【解決手段】本扉と扉枠からなる屋内の扉であって、前記本扉と扉枠に跨って設けられ、本扉側部材と扉枠側部材とからなり、扉の開閉状況を感知し出力する扉開閉センサを備え、前記扉開閉センサが少なくとも閉扉状態において前記扉に面して立った侵入者から実質的に見えないように、前記扉開閉センサの本扉側部材が前記本扉の小口側に埋設されていることを特徴とする。【選択図】図３
0003121558.tif 000002
【実用新案登録請求の範囲】
【請求項１】
本扉と扉枠とからなる屋内の扉であって、前記本扉と扉枠に跨って設けられ、本扉側部材と扉枠側部材とからなり、前記扉の開閉状況を感知し出力する扉開閉センサを備え、前記扉開閉センサが少なくとも閉扉状態において実質的に見えないように、前記扉開閉センサの本扉側部材が前記本扉の小口側に埋設されていることを特徴とする扉開閉センサを備えた扉。
【請求項２】
前記扉開閉センサの本扉側部材と扉枠側部材が、前記扉と扉枠に備えられた錠の、本扉側部材と扉枠側部材に各々一体に作られていることを特徴とする請求項１に記載の扉開閉センサを備えた扉。
【請求項３】
前記錠が空錠であって、前記扉開閉センサの本扉側部材が前記空錠の本扉側部材の、ラッチ又はデッドボルトの先端面及び小口板であり、前記扉開閉センサの扉枠側部材が、前記空錠の扉枠側部材の、前記ラッチ又はデッドボルトを受ける空洞部の奥部に設けられていることを特徴とする請求項２に記載の扉開閉センサを備えた扉。
【請求項４】
前記扉開閉センサが、赤外線センサ、光センサ、マグネットセンサ、及び超音波センサのいずれかであることを特徴とする請求項１に記載の扉開閉センサを備えた扉。
【請求項５】
前記扉開閉センサを備えた扉の本扉と扉枠の間に、少なくとも前記扉の下辺、縦辺、及び上辺のいずれかにおいて空隙がある場合に、煙センサ、一酸化炭素センサ、二酸化炭素センサ、火災センサ、及びガス漏れセンサを含むホーム内センサの少なくとも一つが、前記本扉及び扉枠の、空隙のある辺に設けられていることを特徴とする請求項１に記載の扉開閉センサを備えた扉。
【考案の詳細な説明】
【技術分野】
【０００１】
本考案は扉開閉センサを備えた扉に係り、特に、屋内の各部屋毎のホームセキュリティ上重要な扉開閉センサを備えた扉に関するものである。
【背景技術】
【０００２】
昨近、空き巣や押し込み強盗などの凶暴な犯罪が増加し、一方、核家族化・少子高齢化により地域近隣との結びつきが薄れ、これらの犯罪に対する抑止力が働き難い。
従って、これらの犯罪に対しては各家屋別にセキュリティ能力を向上しなければならないが、従来のホームセキュリティは家屋の内外境界である外扉・窓に重点が置かれており、侵入者が一旦この境界を突破した場合のセキュリティは必ずしも強力かつ十分ではない。
【０００３】
また、従来のホームセキュリティでは、外扉・窓に対して高価な装置が使われており、これを屋内の部屋毎の扉に適用しようとすると経済的でない。
なお、ここで「扉」は、引き戸、開き戸、折り戸等の各種の戸（と）、間仕切りを含む総称として使う。
【０００４】
例えば特許文献１には、外扉の把手のサムターンの回転位置などを監視するセンサを備えた扉開閉センサが開示されているが、複雑で嵩張り、少なくとも屋内の部屋毎の扉に適用するには経済的ではない。
【０００５】
また、このようにセンサを外扉などの人目につく所に付けてある場合は、犯罪に対する抑止効果もある程度期待できるが、屋内の場合は侵入者が比較的容易に破壊又は回避できる。
【特許文献１】特開２００５−０３０１７６号公報
【考案の開示】
【考案が解決しようとする課題】
【０００６】
上記のような扉開閉センサを備えた扉における諸問題を解決するためになされた本考案の目的は、特に屋内の扉に対して経済的な扉開閉センサを提供することにある。
【０００７】
本考案の他の目的は、特に屋内の扉に対して、侵入者の目につき難い扉開閉センサを備えた扉を提供することにある。
【課題を解決するための手段】
【０００８】
上記の課題を解決するためになされた本考案による扉開閉センサは、請求項１に示すように、本扉と扉枠とからなる屋内の扉であって、前記本扉と扉枠に跨って設けられ、本扉側部材と扉枠側部材とからなり、前記扉の開閉状況を感知し出力する扉開閉センサを備え、前記扉開閉センサが少なくとも閉扉状態において実質的に見えないように、前記扉開閉センサの本扉側部材が前記本扉の小口側に埋設されていることを特徴とする。
【０００９】
また、請求項２に示すように、前記扉開閉センサの本扉側部材と扉枠側部材が、前記本扉と扉枠に備えられた錠の、本扉側部材と扉枠側部材に各々一体に作られていることを特徴とする。
【００１０】
また、請求項３に示すように、前記錠が空錠であって、前記扉開閉センサの本扉側部材が前記空錠の本扉側部材の、ラッチ又はデッドボルトの先端面及び小口板であり、前記扉開閉センサの扉枠側部材が、前記空錠の扉枠側部材の、前記ラッチ又はデッドボルトを受ける空洞部の奥部に設けられていることを特徴とする。
【００１１】
また、請求項４に示すように、前記扉開閉センサが、赤外線センサ、光センサ、マグネットセンサ、及び超音波センサのいずれかであることを特徴とする。
【００１２】
また、請求項５に示すように、前記扉開閉センサを備えた扉の本扉と扉枠の間に、少なくとも前記扉の下辺、縦辺、及び上辺のいずれかにおいて空隙がある場合に、煙センサ、一酸化炭素センサ、二酸化炭素センサ、火災センサ、及びガス漏れセンサを含むホーム内センサの少なくとも一つが、前記本扉及び扉枠の、空隙のある辺に設けられていることを特徴とする。
【考案の効果】
【００１３】
本考案による扉開閉センサを備えた扉によれば、扉の開閉状況を感知し出力する機構部が本扉の小口に埋設されているので、侵入者の目につき難い扉開閉センサを備えた扉が得られる。
【００１４】
本考案による扉開閉センサを備えた扉によれば、扉の開閉状況を感知し出力する扉開閉センサが、扉の錠と一体に形成されているので、嵩張らず経済的な扉開閉センサを備えた扉が得られる。
【考案を実施するための最良の形態】
【００１５】
以下、本考案に係る実施の形態と効果を、図１ないし図６に従って具体的に説明する。
【実施例１】
【００１６】
図１は、本考案を様々な形式の扉に適用した場合の概要図である。
図１において、（Ａ）は片開き戸、（Ｂ）は引き戸、（Ｃ）は折り戸の場合であり、いずれの場合も、本扉１０が開閉可能、即ち、扉枠２０に対して限定された範囲で回転移動及び／又は平行移動可能なように取り付けられており、いずれの場合も、本扉１０と扉枠２０には各々、錠の本扉側部材３０と錠の扉枠側部材４０が備えられ、錠の本扉側部材３０は、さらに把手３５とボルト３２を備え、錠の扉枠側部材４０はボルト３２の受け穴となる凹部を備える。
【００１７】
図１（Ａ）に示す片開き戸の場合、本扉１０は蝶番９１、９１により扉枠２０に取り付けられており、把手３５を介して、例えば図において手前側に開けることができる。
【００１８】
図１（Ｂ）に示す引き戸の場合、本扉１０は、扉枠２０の図で上下部に備えた溝に嵌めこまれており、把手３５を介して、溝に沿って、例えば図において右方の、壁９５の手前に移動させて開けることができる。
【００１９】
図１（Ｃ）に示す折り戸の場合、本扉１０は蝶番９２、９２で結合された一対の部材１５、１６からなり、蝶番９１、９１を介して扉枠２０に取り付けられており、把手３５を介して、例えば図において蝶番９２、９２で山折りにして、手前右方に移動させて開けることができる。
【００２０】
なお、折り戸の場合、蝶番９１、９１を欠く場合もあり、その場合、さらに蝶番９１、９１の代わりに、第２の錠及び／又は第２の扉開閉センサを備える場合を含む。
【００２１】
ボルト３２には、ラッチ、デッドボルト等様々な形式があり、いずれにせよ把手３５を介して錠の扉枠側部材４０の凹部に挿入されると扉を閉状態に固定する。この他、ボルト３２は鍵（図示せず）により把手では操作できないように固定されてもよい。
【００２２】
本図で示した、錠の本扉側部材３０と錠の扉枠側部材４０は例示的なものであり、複数本のボルト（例えば、ラッチとデッドボルト）を備える場合、錠の扉枠側部材４０がボルトの固定機構を備える場合、及び錠の扉枠側部材４０にもボルトを備える場合、を含む。
なお、特に（Ｂ）引き戸の場合、錠の本扉側部材３０が把手３５だけからなり、錠の扉枠側部材４０を欠く場合を含む。
【００２３】
本実施例では、（Ａ）（Ｂ）（Ｃ）いずれの場合も、本発明による、本扉側部材５０と扉枠側部材６０からなる扉開閉センサをさらに備える。
図２は本扉１０を閉めた状態の詳細を示す、扉開閉センサの本扉側部材５０と扉開閉センサの扉枠側部材６０を含む水平断面図である。
【００２４】
図２において、本扉１０は戸当たり２９に当接して閉状態になっており、扉開閉センサの電源線及び出力信号線からなる伝達装置６５は、好ましくは扉の開閉に拘わらず人目につかないように、扉枠２０の内部に引き回されている。
【００２５】
扉開閉センサの本扉側部材５０は、本扉の小口１１に埋設され、扉開閉センサの扉枠側部材６０は、本扉の小口１１に相対する扉枠部材２１に埋設されているので、少なくとも扉を閉めた状態では、侵入者の目につき難い。
【００２６】
扉開閉センサは、赤外線センサ、光センサ、マグネットセンサ、及び超音波センサのいずれであってもよい。
いずれの場合でも扉開閉センサには、センシング信号である赤外線、可視光線、磁界、又は超音波の、発信源と受信装置が必要である。
【００２７】
扉開閉センサの場合この発信源と受信装置を各々、本扉側部材５０と扉枠側部材６０に、又は扉枠側部材６０と本扉側部材５０に分離して搭載する方法と、一方、例えば扉枠側部材６０に一括して搭載し、本扉側部材５０はセンシング信号の反射板とする方法がある。
【実施例２】
【００２８】
本実施例では、扉開閉センサの本扉側部材５０及び扉枠側部材６０が各々、錠の本扉側部材３０及び錠の扉枠側部材４０に一体に作られている。
図３を参照すると、錠が空錠であり、ボルトがラッチ３３である場合の具体例であり、ラッチ３３は図示しないバネにより、本扉１０の小口１１から突出した状態（ラッチ３３ａ）に弾支されており、閉扉状態では錠の扉枠側部材４０の凹部４２に挿入されている。
【００２９】
把手３５が回転すると、その回転３７ａが錠の本扉側部材３０内部の機構（図示せず）を介して、ラッチ３３の左右移動３７ｂに変換され、扉の開閉が可能になる。
錠の扉枠側部材４０は扉枠に掘り込まれた同形の孔に嵌挿、固定されており、本実施例では、錠の扉枠側部材４０の凹部４２の底部には、扉枠の孔の底部が露出している。
【００３０】
本実施例では、扉開閉センサの扉枠側部材６０は、センシング信号の発信源と受信装置の双方を内蔵して、凹部４２の底部に露出した扉枠に固定されており、一方、ラッチ３３ａの先端面及び錠の本扉側部材３０の小口板３１がセンシング信号の反射面となり、扉開閉センサの本扉側部材５０として機能する。
即ち、扉開閉センサの扉枠側部材６０を、既存の空錠の扉枠側部材４０の底部に固着させるだけでよいので、経済的に扉開閉センサを取り付けることができる。
【実施例３】
【００３１】
図４を参照すると、本実施例は上記実施例２の場合と同じく、扉開閉センサの本扉側部材５０及び扉枠側部材６０が各々、空錠の本扉側部材３０及び扉枠側部材４０に一体に作られているが、空錠のボルト３２がラッチではなくデッドボルト３４（３４ａ）の場合である。
【００３２】
扉開閉センサの本扉側部材５０であるデッドボルト３４ａの先端面をセンシング信号の反射面として、扉開閉センサの扉枠側部材６０に備えたセンシング信号の発信・受信面と略平行にできるので、扉開閉センサの設計余裕が大きく、より経済的に作ることができる。
本実施例の方式は、ラッチとデッドボルトの双方を備えた空錠に対して適用することができる。
【実施例４】
【００３３】
図５を参照すると、本実施例は上記実施例２、３の場合と同じく、扉開閉センサの本扉側部材５０及び扉枠側部材６０が各々、空錠の本扉側部材３０及び扉枠側部材４０に一体に作られており、ボルト３２（３２ａ）の先端面及び錠の本扉側部材３０の小口板３１が扉開閉センサの本扉側部材５０の機能を果たしている。
【００３４】
扉開閉センサは既存の空錠に後から取り付けられるのではなく、扉開閉センサの扉枠側部材５０は、空錠扉枠側部材４０の閉鎖された底部（ただし、伝達装置６５の引き出し孔が設けられており、完全に閉鎖されていない。）に、空錠扉枠側部材４０を扉枠に取り付ける前に固定されている。
【００３５】
扉開閉センサと空錠を設計段階から一体のものとして扱えるので、最適化した経済的設計が可能になる。
本実施例の方式は、空錠の場合だけでなく、例えば錠の扉枠側部材にもセキュリティ機構を備えた高度の錠に対しても適用できる。
【００３６】
また、上記実施例２〜４において、伝達装置６５は扉開閉センサの電源線及び出力信号線からなり、扉開閉センサに電源電力を供給すると共に、扉の開閉状況に関する感知出力情報を図示しない制御部に送る。
【００３７】
そのため、伝達装置６５は、上記実施例２〜４においては、いずれも扉開閉センサの扉枠側部材６０から引き出されて、扉枠２０と扉枠に接合された壁材６８とを貫通する孔６２を介して、壁材の内空部に導かれ、図示しない制御部に接続される。
【００３８】
このように、伝達装置が有線の場合でも、人目に付かないように配設されているだけではなく、保守点検の際には、壁材６８を破壊することなく（本扉を開放して）扉開閉センサの扉枠側部材６０と共に伝達装置を引き出すことができる。
【実施例５】
【００３９】
図６を参照すると、煙センサ、一酸化炭素センサ、二酸化炭素センサ、火災センサ、及びガス漏れセンサのうちの少なくとも一つのホーム内センサの本扉側部材７０と扉枠側部材８０が各々、本扉１０の下辺と、扉枠の下辺２２に備えられている。
ホーム内センサの本扉側部材７０と扉枠側部材８０は一方を欠く場合を含む。
【００４０】
本実施例は、特に開き戸の場合のように、本扉と扉枠の間に、その下辺において空隙があり、火災、ガス漏れなどの際、室内の空気が対流又は拡散により空気流７５となって室外に流出するのを、上記ホーム内センサによりキャッチできる場合に有効である。
【００４１】
その場合、伝達装置８５は扉開閉センサの電源線及び出力信号線からなり、ホーム内センサに電源電力を供給すると共に、扉の開閉状況に関する感知出力情報を図示しない制御部に送る。
【００４２】
そのため、伝達装置８５は、ホーム内センサの扉枠側部材８０から引き出されて、扉枠の下辺２２と扉枠の下辺に接合された床材８８とを貫通する孔８２を介して、床下の内空部に導かれ、図示しない制御部に接続される。
【００４３】
このように、伝達装置が有線の場合でも、人目に付かないように配設されているだけではなく、保守点検の際には、床材８８を破壊することなく（本扉を開放して）ホーム内センサの扉枠側部材８０と共に伝達装置を引き出すことができる。
【００４４】
引き戸又は折り戸の場合のように、本扉と扉枠の間に、その縦辺において空隙が設けられている場合は、上記ホーム内センサを空隙の設けられている縦辺に備えるとよい。
また、一酸化炭素センサは、扉の上辺に部分的な空隙（即ち、孔）を設けて、そこに備えると有効である。
【００４５】
本実施例においては、扉開閉センサは上記実施例２〜４と同様に扉の縦辺に別途備えてある（図示せず）。
また、扉開閉センサを上記ホーム内センサと一体にして複合センサとし、経済的に備えることもできる。
【００４６】
上記実施例２〜５が、上記実施例１で説明した図１（Ａ）（Ｂ）（Ｃ）のいずれの形式の扉に対しても適用可能であることは容易に理解されよう。
【図面の簡単な説明】
【００４７】
【図１】実施例１に係る、本発明を様々な様式の扉に適用した場合の概要図であり、（Ａ）（Ｂ）（Ｃ）は各々片開き戸、引き戸、折り戸の場合である。
【図２】実施例１に係る、閉扉状態の詳細を示す、扉の縦辺の水平断面部分図である。
【図３】実施例２に係る、閉扉状態の詳細を示す、扉の縦辺の水平断面部分図である。
【図４】実施例３に係る、閉扉状態の詳細を示す、扉の縦辺の水平断面部分図である。
【図５】実施例４に係る、閉扉状態の詳細を示す、扉の縦辺の水平断面部分図である。
【図６】実施例５に係る、閉扉状態の詳細を示す、扉の下辺の垂直断面部分図である。
【符号の説明】
【００４８】
１０    本扉
１１    本扉の小口
１５、１６    本扉の一対の部材
２０    扉枠
２１    本扉の小口に対応する扉枠部材
２２    扉枠の下辺
３０    錠の本扉側部材
３１    錠の本扉側部材の小口板
３２    ボルト（ラッチ、デッドボルトを含む）
３３、３３ａ    ラッチ
３４、３４ａ    デッドボルト
３５    把手
３７ａ    把手の回転
３７ｂ    ボルトの左右移動
４０    錠の扉枠側部材
５０    扉開閉センサの本扉側部材
６０    扉開閉センサの扉枠側部材
６２、８２    伝達装置用の孔
６５、８５    伝達装置
６８    壁材
７０    ホーム内センサ（又は複合センサ）の本扉側部材
７５    空気流
８０    ホーム内センサ（又は複合センサ）の扉枠側部材
８８    床材
９１、９２    蝶番
９５    壁
【図１】
0003121558.tif 000003
【図２】
0003121558.tif 000004
【図３】
0003121558.tif 000005
【図４】
0003121558.tif 000006
【図５】
0003121558.tif 000007
【図６】
0003121558.tif 000008